(57)【特許請求の範囲】
【請求項１】
壁面１３に取り付けた台座１ｂ側から、ドア面１４に取り付けた受座２側へ、両端部にフック６ｃ、６ｄを結合させたチェーン７を掛け留めして、ドアを半開角までしか開かないようにするドアチェーン錠において、台座と受座は、互いに同一の形状であって、それぞれ、正面側に、フックの挿脱口４ｂ、４ｄを備えたスライド穴３ｂ、３ｃを有するボックス形状であり、それぞれの挿脱口は、台座では下側に、受座では上側に位置しており、前記台座と受座は、それぞれ、裏面がねじ８ａ、８ｂ、８ｃ、８ｄによって壁面またはドア面に取り付けられ、前記ねじ８ａ、８ｂ、８ｃ、８ｄは、カバープレート５によって覆われており、前記カバープレートは、前記ねじ８ａ、８ｂ、８ｃ、８ｄとは別部材のねじ９ａ、９ｂによって、壁面またはドア面に取り付けられており、前記カバープレートは、前記ねじ９ａ、９ｂを外し、スライド穴から抜き取られる動作が行われた際に、上端部がスライド穴の縁部に、下端部が前記フックに当接し得る形状であることを特徴とする、ドアチェーン錠。
【発明の詳細な説明】
【技術分野】
【０００１】  本発明は、玄関ドアの半開時に、外部の者によって、玄関内側の壁面及びドア面に取り付けてある、台座及び受座の取り外しを防止する事に関する。
【背景技術】
【０００２】  図１（ｂ）に従来のドアチェーン錠の一例を示すように、壁面１３にねじ９ｅによって取り付けた台座１１側から、ドア面１４にねじ９ｆによって取り付けた受座１２側へ、先端部にフックを結合させたチェーン７を掛け留めして、ドアを半開角までしか開かないようにするドアチェーン錠において、ねじ９ｅと９ｆは、頭部が露出している無防備状態のため、半開の隙間ｗから差し込んだドライバによって外されて、台座或いは受座そのものを取り外すことは簡単に可能であり、その結果、外部からの侵入者によって、時には、経済的、精神的に大きな被害を受ける事も十分予想できる。
【非特許文献１】  実願昭５２−１３２４７６号
【非特許文献２】  実願昭５７−１９７２８３号
【非特許文献３】  実願平０２−０９７５５８号
【非特許文献４】  実願平０５−０１５８７７号
【発明が解決しようとする課題】
【０００３】  解決しようとする課題は、台座と受座を、壁面またはドア面にそれぞれ取り付けるねじ８ａ、８ｂ、８ｃ、８ｄの直上に、カバープレートを配置することにより、前記台座または受座の取り外しを防止することである。
【課題を解決するための手段】
【０００４】  壁面１３に取り付けた台座１ｂ側から、ドア面１４に取り付けた受座２側へ、両端部にフック６ｃ、６ｄを結合させたチェーン７を掛け留めして、ドアを半開角までしか開かないようにするドアチェーン錠において、台座と受座は、互いに同一の形状であって、それぞれ、正面側に、フックの挿脱口４ｂ、４ｄを備えたスライド穴３ｂ、３ｃを有するボックス形状であり、それぞれの挿脱口は、台座では下側に、受座では上側に位置しており、前記台座と受座は、それぞれ、裏面がねじ８ａ、８ｂ、８ｃ、８ｄによって壁面またはドア面に取り付けられ、前記ねじ８ａ、８ｂ、８ｃ、８ｄは、カバープレート５によって覆われており、前記カバープレートは、前記ねじ８ａ、８ｂ、８ｃ、８ｄとは別部材のねじ９ａ、９ｂによって、壁面またはドア面に取り付けられており、前記カバープレートは、前記ねじ９ａ、９ｂを外し、スライド穴から抜き取られる動作が行われた際に、上端部がスライド穴の縁部に、下端部が前記フックに当接し得る形状であることを特徴とすることである。
【発明の効果】
【０００５】  本発明のドアチェーン錠は、台座側から受座側へチェーンが掛け留めされているドア半開時、外部の者による半開の隙間からの操作によって、前記台座または受座を取り外そうとした際、前記台座または受座は、取り外すことが防止されるので、防犯効果に一段の向上が図られる。
【発明を実施するための最良の形態】
【０００６】  壁面１３に取り付けた台座１ｂ側から、ドア面１４に取り付けた受座２側へ、両端部にフック６ｃ、６ｄを結合させたチェーン７を掛け留めして、ドアを半開角までしか開かないようにするドアチェーン錠において、台座と受座は、互いに同一の形状であって、それぞれ、正面側に、フックの挿脱口４ｂ、４ｄを備えたスライド穴３ｂ、３ｃを有するボックス形状であり、それぞれの挿脱口は、台座では下側に、受座では上側に位置しており、前記台座と受座は、それぞれ、裏面がねじ８ａ、８ｂ、８ｃ、８ｄによって壁面またはドア面に取り付けられ、前記ねじ８ａ、８ｂ、８ｃ、８ｄは、カバープレート５によって覆われており、前記カバープレートは、前記ねじ８ａ、８ｂ、８ｃ、８ｄとは別部材のねじ９ａ、９ｂによって、壁面またはドア面に取り付けられており、前記カバープレートは、前記ねじ９ａ、９ｂを外し、スライド穴から抜き取られる動作が行われた際に、上端部がスライド穴の縁部に、下端部が前記フックに当接し得る形状であることを特徴とすることである。
【実施例】
【０００７】  図１（ａ）に示すように、それぞれ、正面側に、フックの挿脱口４ｂ、４ｄを備えたスライド穴３ｂ、３ｃを有するボックス形状の台座１ｂと受座２は、互いに同一の形状であって、それぞれの挿脱口が、台座においては下側に、受座においては上側に位置するようにして、前記台座と受座は、それぞれ、裏面がねじ８ａ、８ｂ、８ｃ、８ｄによって、壁面１３またはドア面１４に取り付けられ、カバープレート５は、前記台座と受座のそれぞれに設けられ、前記カバープレートは、前記台座と受座のスライド穴３ｂ、３ｃから、受座については図２（ｃ）、（ｇ）に示すように（台座については図示省略）、それぞれ挿入されて、次に、前記カバープレートは、前記ねじ８ａ、８ｂ、８ｃ、８ｄの直上に、受座については図２（ａ）に示すように（台座については図示省略）、それぞれ配置されて、更に、前記ねじ８ａ、８ｂ、８ｃ、８ｄとは別部材のねじ９ａ、９ｂによって、前記裏面を介して、前記壁面またはドア面にそれぞれ取り付けられる。【０００８】  壁面１３に取り付けた台座１ｂ側から、ドア面１４に取り付けた受座２側へ、両端部にフック６ｃ、６ｄを結合させたチェーンが掛け留めされているドア半開時、外部の者が半開の隙間から差し込んだドライバによって、ねじ８ａ、８ｂ、８ｃ、８ｄを外して、前記台座または受座の取り外し動作が行われた際の防止策ついて、前記台座と受座は互いに同一形状であるので、前記受座についての説明により、前記台座についても推量が可能と考え、また、説明の重複を避けるため、前記受座の例で説明をすることとすると、第１に、図２（ａ）に示すように、カバープレート５が、ねじ９ａ、９ｂによって取り付けられている際は、前記ねじ８ａ、８ｂ、８ｃ、８ｄは、前記カバープレートによって、直上を覆われており、第２に、図２（ａ）において、前記カバープレートが、前記ねじ９ａ、９ｂを外されて、図２（ｂ）に示すように、左上５ａか、或いは、右下５ｂに寄せられた際は、いずれも、前記ねじ８ａ、８ｂ、８ｃ、８ｄは、前記カバープレートによって、直上を覆われており、第３に、図２（ａ）において、前記カバープレートが、前記ねじ９ａ、９ｂを外されて、図２（ｃ）に示すように、スライド穴から抜き取られる動作が行われた際は、前記カバープレートは、上端部が前記スライド穴の縁部に、下端部がフック６ｄ’に当接し得る形状であるので、前記第１、第２、第３の結果では、前記ねじ８ａ、８ｂ、８ｃ、８ｄを外して、前記台座または受座を取り外すことは防止されることになる。
【図面の簡単な説明】
【０００９】
【図１】（ａ）ドアチェーン錠の斜視図  （ｂ）従来のドアチェーン錠の一例の斜視図
【図２】（ａ）ねじ８ａ、８ｂ、８ｃ、８ｄ及びカバープレート５、ねじ９ａ，９ｂ、スライド穴３ｃ、フック６ｄを、同一平面上に重ね合わせた、図１（ａ）における受座の正面図で、上下を逆に置き替えると、同図における台座の正面図となる  （ｂ）図２（ａ）において、カバープレートが、ねじ９ａ、９ｂを外されて、左上５ａか、或いは、右下５ｂに寄せられている状態を示す受座の正面図で、上下を逆に置き替えると、同図における台座の正面図となる  （ｃ）カバープレートのスライド穴に対する抜き差し動作を示す、図１（ａ）における受座の正面図で、上下を逆に置き替えると同図における台座の正面図となる  （ｄ）カバープレート  （ｅ）フック  （ｆ）カバープレート５が、ねじ９ａ、９ｂを外され、正面板２５及び側板２４、裏板３６に囲まれた空間の中で、動作が可能になっている状態を示す、図１（ａ）における受座のＤ−Ｄ線断面図  （ｇ）カバープレートのスライド穴に対する抜き差し動作を示す、図１（ａ）における受座のＤ−Ｄ線断面図  （ｈ）ねじ。台座のスライド穴に掛け留めされているフックが、自重でスライド穴の中を落下するのを防止するために、下側から支えるためのものである。
【符号の説明】
【００１０】  １ｂ、１１    台座
２，１２    受座
３ｂ、３ｃ    スライド穴
４ｂ、４ｄ    挿脱口
５，５’、５ａ、５ｂ    カバープレート
６，６ｃ，６ｄ，６ｄ’    フック
７    チェーン
８ａ、８ｂ、８ｃ、８ｄ    ねじ
９ａ，９ｂ，９ｄ，９ｅ、９ｆ    ねじ
１０ａ、１０ｃ    ねじ穴
１３    壁面
１４    ドア面
２４    側板
２５    正面板
３１    把手
３６    裏板
ｗ    ドア半開時の隙間
【図１】
0003894325.tif 000002
【図２】
0003894325.tif 000003